(57)【要約】【課題】  ディスク装置において、突起部を薄くして開閉扉の表面にひけを生じさせないようにすると共に、突起部を薄くしても、その突起部がディスクトレイの溝壁から脱落してガイド溝部に嵌まり込むという事態を防ぐ。【解決手段】  外殻ハウジングに内蔵されたディスク駆動機構Ｂがディスクトレイ１と構体３とを有する。外殻ハウジングの開口窓８５に開閉扉７を取り付ける。開閉扉７の裏面に、突出方向に移動してきたディスクトレイ１の溝壁５３を乗り上がらせるリブ状の突起部７３が備わっている。突起部７３をＬ字形に形成することにより、突起部７３を薄くしても、その突起部７３がディスクトレイ１の溝壁５３から脱落してガイド溝部５１に嵌まり込まないようにする。【選択図】        図１
2006134409.tif 000002
【特許請求の範囲】
【請求項１】
外殻ハウジングに内蔵されたディスク駆動機構が、当り部を備えた樹脂成形体でなるディスクトレイと、そのディスクトレイの幅方向一端部に具備されたガイド溝部に嵌合してそのディスクトレイを出退方向に案内するガイド突起を備えた構体とを有していると共に、上記外殻ハウジングに開設されて上記ディスクトレイが出退される開口窓に、幅方向の一端部だけに配備されたねじりばねによって閉方向に常時弾発付勢された樹脂成形体でなる開閉扉が取り付けられ、その開閉扉の裏面に、突出方向に移動してきたディスクトレイの上記当り部を摺動させて上記開閉扉を開動させながらそのディスクトレイの上記溝壁の頂面を摺動させて乗り上がらせる突起部が備わっているディスク装置において、
上記突起部は、ディスクトレイの幅方向に延びる横長部とディスクトレイの出退方向に延びる縦長部とがＬ字形に連続する形に形成されていて、その縦長部に、突出方向に移動してきたディスクトレイの上記当り部を摺動させて上記開閉扉を開動させながらそのディスクトレイの上記溝壁の頂面を上記横長部に乗り上がらせる傾斜ガイド面が備わり、この突起部の横長部の肉厚及び縦長部の肉厚を上記ガイド溝部の溝幅よりも短い寸法に定めることによって、成形された上記開閉扉の表面に外観上で目立つひけが発生することを抑制してあると共に、上記横長部の長さが上記ガイド溝部の溝幅よりも長い寸法に定められており、
上記開閉扉の裏面の上記突起部の配備箇所とは別の箇所にその突起部と同一形状の補助突起部が備わり、上記突起部の横長部が上記ディスクトレイの上記溝壁の頂面を乗り上がらせたときに、その補助突起部が、上記ディスクトレイの幅方向他端部に具備された縦長の縁枠部の頂面を乗り上がらせるようになっていることを特徴とするディスク装置。
【請求項２】
外殻ハウジングに内蔵されたディスク駆動機構が、当り部を備えた樹脂成形体でなるディスクトレイと、そのディスクトレイの幅方向端部に具備されたガイド溝部に嵌合してそのディスクトレイを出退方向に案内するガイド突起を備えた構体とを有していると共に、上記外殻ハウジングに開設されて上記ディスクトレイが出退される開口窓に、閉方向に常時弾発付勢された樹脂成形体でなる開閉扉が取り付けられ、その開閉扉の裏面に、突出方向に移動してきたディスクトレイの上記当り部を摺動させて上記開閉扉を開動させながらそのディスクトレイの上記溝壁の頂面を摺動させて乗り上がらせる突起部が備わっているディスク装置において、
上記突起部は、ディスクトレイの幅方向に延びる横長部とディスクトレイの出退方向に延びる縦長部とが連続する形に形成されていて、その縦長部に、突出方向に移動してきたディスクトレイの上記当り部を摺動させて上記開閉扉を開動させながらそのディスクトレイの上記溝壁の頂面を上記横長部に乗り上がらせる傾斜ガイド面が備わり、この突起部の横長部の肉厚及び縦長部の肉厚が、成形によって上記開閉扉の表面に外観上で目立つひけを発生させない寸法に定められていると共に、上記横長部の長さが上記ガイド溝部の溝幅よりも長い寸法に定められていることを特徴とするディスク装置。
【請求項３】
上記突起部の横長部及び縦長部のそれぞれの肉厚が、上記ガイド溝部の溝幅よりも短い寸法に定められている請求項２に記載したディスク装置。
【請求項４】
上記突起部は、横長部と縦長部とがＬ字形に連続する形に形成されている請求項２又は請求項３に記載したディスク装置。
【発明の詳細な説明】
【技術分野】
【０００１】
本発明は、ディスク装置、特に、ディスクの搬入出を行うためのディスクトレイを有するディスク駆動機構が外殻ハウジングに内蔵されていて、その外郭ハウジングの開口窓に取り付けられた開閉扉が、突出方向に移動してきた上記ディスクトレイによって押し開かれるようになっているディスク装置に関する。
【背景技術】
【０００２】
図４はディスク駆動機構Ｂの概略平面図、図５は図４のＶ−Ｖ線に沿う部分の概略断面図である。このディスク駆動機構Ｂは、樹脂成形体でなるディスクトレイ１や構体３を備えていて、構体３には、ディスクトレイ１によって搬入されてきたディスクをチャッキングして回転させるためのターンテーブルや回転中のディスクの記録面を走査する光ピックアップなどの記録又は再生に必要な要素（不図示））が組み付けられているほか、ディスクトレイ１側のラック１２と共働してディスクトレイ１を出退させるためのローディングギヤ３２が取り付けられている。
【０００３】
また、ディスク搬入出時に行われるディスクトレイ１の出退動作は、ディスクトレイ１と構体３との間の左右２箇所に介在されているガイド機構５，６によって案内されるようになっている。
【０００４】
図例のディスク駆動機構Ｂにおいて、一方側のガイド機構５は、ディスクトレイ１の幅方向一端部に具備された縦長のガイド溝部５１と、構体３に設けられて上記ガイド溝部５１に嵌合するガイド突起５２とによって構成されていて、ガイド溝部５１を形成している外側の溝壁５３は、ディスクトレイ１の幅方向一端部の縁枠部としてディスクトレイ１を補強する機能を備えている。これに対し、他方側のガイド機構６は、ディスクトレイ１の幅方向他端部に具備された縦長の縁枠部１３の内側に位置する凹所６１とその凹所６１に嵌合して縁枠部１３と摺動可能な補助ガイド突起６２とによって構成されている。また、それぞれのガイド機構５，６には、構体３に設けられてディスクトレイ１の浮き上がりを抑える押え片５５，６５が付設されている。
【０００５】
図６は外郭ハウジングに開設された開口窓（不図示）に取り付けられる開閉扉７とディスクトレイ１との位置関係を示した説明図、図７（Ａ）（Ｂ）はディスクトレイ１と開閉扉７との連動状態を説明的に示した要部の断面図である。
【０００６】
開閉扉７は樹脂成形体でなる。図６又は図７に示したように、この開閉扉７は、左右両端部に同心状に備わっている支軸部７１，７２が外郭ハウジングを構成しているフロントパネル８に設けられた軸受孔部８１（左側の軸受孔部は図に現れない）に回転自在に支持されると共に、一方側の支軸部７１に保持されたねじりばね（不図示）によって閉方向（矢印Ｆ）に常時弾発付勢される。また、図６に示したように、開閉扉７の裏面の左右に肉厚寸法Ｔ１のまっすぐなリブによって形成された同一形状の突起部７３と補助突起部７６が形成されていて、突起部７３及び補助突起部７６にはそれぞれ傾斜ガイド面７４，７７が備わっている。これに対し、ディスクトレイ１には、上記した突起部７３と補助突起部７６に対応する箇所に当り部１５（左側の突起部７６に対応する当り部は図に現れない）が備わっている。図例では、これらの当り部１５がディスクトレイ１の前面部によって形成されている。
【０００７】
このようなディスク装置において、突起部７３とディスクトレイ１との関係では、ディスクトレイ１が図７（Ａ）の矢印Ａ１のように突出方向に移動してくると、そのディスクトレイ１の当り部１５が、閉状態の開閉扉７の突起部７３の傾斜ガイド面７４に当接した後、開閉扉７をねじりばねの付勢に抗して矢印Ｃ１のように開動させながらその傾斜ガイド面７４を摺動し、さらに同図（Ｂ）のようにディスクトレイ１のガイド溝部５１の溝壁５３の頂面（下面）５３ａが突起部７３に乗り上がる。また、図示していないけれども、補助突起部７６とディスクトレイ１との関係では、ディスクトレイ１が突出方向に移動してくると、そのディスクトレイ１の当り部１５が、閉状態の開閉扉７の補助突起部７６の傾斜ガイド面７７に当接した後、開閉扉７をねじりばねの付勢に抗して開動させながらその傾斜ガイド面７７を摺動し、さらにディスクトレイ１の縁枠部１３の頂面（下面）１３ａが補助突起部７６に乗り上がる（図６参照）。
【０００８】
以上説明した従来のディスク装置において、突起部７３の肉厚寸法Ｔ１はガイド溝部５１の溝幅寸法Ｔ２よりもやゝ長い寸法に定められていた。その理由は次の通りである。
【０００９】
すなわち、ディスクトレイ１がディスク駆動機構Ｂ側に組み付けられているのに対し、開閉扉７はそのディスク駆動機構Ｂを内蔵している外郭ハウジングの開口窓に取り付けられているため、外郭ハウジングに対するディスク駆動機構Ｂの取付位置の横方向でのずれや、外郭ハウジングの開口窓に対する開閉扉７の取付位置の横方向でのずれなどが原因になって、ディスクトレイ１が出退するときに、そのディスクトレイ１の溝壁５３が開閉扉７の突起部７３に対して横方向で位置ずれすることがある。その場合に、仮に突起部７３の肉厚寸法Ｔ１がガイド溝部５１の溝幅寸法Ｔ２よりも短いとすると、突起部７３がガイド溝部５１に嵌まり込むという事態の起こるおそれがあり、そのような事態が起こると、ディスクトレイ１の円滑な出退動作が損なわれたり、開閉扉７の円滑な開閉動作が損なわれたりする。そこで、上記のように、突起部７３の肉厚寸法Ｔ１をガイド溝部５１の溝幅寸法Ｔ２よりもやゝ長い寸法に定めておくことによって、突起部７３が開閉扉７側の溝壁５３に対して位置ずれしている場合でも、その突起部７３がガイド溝部５１に嵌まり込んでしまうという事態を回避しているのである。
【００１０】
一方、他の従来例として、トレイを連動させる蓋体にリブを設けたローディング装置が知られており（たとえば、特許文献１参照）、このものでは、リブが閉蓋時にスイッチをＯＮすることに使われている。さらに他の従来例として、筐体の開口窓に取り付けられた防塵蓋を、トレイによって押し開けるようにした記憶装置があった（たとえば、特許文献２参照）。
【特許文献１】特開平９−２８８８５５号公報
【特許文献２】特開平１１−１１０８７３号公報
【発明の開示】
【発明が解決しようとする課題】
【００１１】
しかしながら、図４〜図７を参照して説明した従来例のように、突起部７３の肉厚寸法Ｔ１がガイド溝部５１の溝幅寸法Ｔ２よりもやゝ長い寸法に定められていると、樹脂成形体でなる開閉扉７の表面にひけが発生し、そのひけが外観上で目立って開閉扉７が不良品と判定されることがあった。そこで、外観上で目立つひけを発生させないようにするために上記突起部７の肉厚寸法Ｔ１を短くすると、その突起部７の肉厚寸法Ｔ１がディスクトレイ１のガイド溝部５１の溝幅寸法Ｔ２よりも短くなり、溝壁５３から脱落した突起部７３がガイド溝部５１に嵌まり込んでしまうという上述した事態の起こるおそれがある。これに対し、特許文献１や特許文献２には、そのようなひけの発生に関する言及がなされていない。
【００１２】
本発明は、以上の状況に鑑みてなされたものであり、突起部の肉厚寸法を短くすることによって開閉扉の表面に外観上で目立つひけを生じさせないようにすると共に、そのように突起部の肉厚寸法を短くしても、その突起部がディスクトレイの溝壁から脱落してガイド溝部に嵌まり込んでしまってディスクトレイや開閉扉の円滑な動作が損なわれるという事態の起こり得ないディスク装置を提供することを目的とする。
【００１３】
また、本発明は、従来のディスク装置の突起部の形状を変更するだけの対策を講じるだけで、突起部がディスクトレイの溝壁から脱落してガイド溝部に嵌まり込んでしまうという事態を回避することのできるディスク装置を提供することを目的とする。
【課題を解決するための手段】
【００１４】
本発明に係るディスク装置は、外殻ハウジングに内蔵されたディスク駆動機構が、当り部を備えた樹脂成形体でなるディスクトレイと、そのディスクトレイの幅方向端部に具備されたガイド溝部に嵌合してそのディスクトレイを出退方向に案内するガイド突起を備えた構体とを有していると共に、上記外殻ハウジングに開設されて上記ディスクトレイが出退される開口窓に、閉方向に常時弾発付勢された樹脂成形体でなる開閉扉が取り付けられ、その開閉扉の裏面に、突出方向に移動してきたディスクトレイの上記当り部を摺動させて上記開閉扉を開動させながらそのディスクトレイの上記溝壁の頂面を摺動させて乗り上がらせる突起部が備わっている。そして、上記突起部は、ディスクトレイの幅方向に延びる横長部とディスクトレイの出退方向に延びる縦長部とが連続する形に形成されていて、その縦長部に、突出方向に移動してきたディスクトレイの上記当り部を摺動させて上記開閉扉を開動させながらそのディスクトレイの上記溝壁の頂面を上記横長部に乗り上がらせる傾斜ガイド面が備わり、この突起部の横長部の肉厚及び縦長部の肉厚が、成形によって上記開閉扉の表面に外観上で目立つひけを発生させない寸法に定められていると共に、上記横長部の長さが上記ガイド溝部の溝幅よりも長い寸法に定められている。
【００１５】
この発明によれば、突起部の横長部の肉厚及び縦長部の肉厚が、成形によって開閉扉の表面に外観上で目立つひけを発生させない寸法に定められていることにより、開閉扉の表面に外観上で目立つひけが発生しなくなってその開閉扉がひけの存在を理由に不良品と判定されることがなくなる。その上、突起部の横長部の長さがガイド溝部の溝幅よりも長い寸法に定められていることにより、その突起部がガイド溝部に嵌まり込むという事態の起こる余地がなくなり、その結果、突起部がディスクトレイの溝壁から脱落してガイド溝部に嵌まり込んでしまってディスクトレイや開閉扉の円滑な動作が損なわれるという事態が起こらなくなる。
【００１６】
本発明では、上記突起部の横長部及び縦長部のそれぞれの肉厚が、上記ガイド溝部の溝幅よりも短い寸法に定められていることが望ましい。また、上記突起部は、横長部と縦長部とがＬ字形に連続する形に形成されている、という構成を採用することが可能である。
【００１７】
また、本発明に係るディスク装置では、外殻ハウジングに内蔵されたディスク駆動機構が、当り部を備えた樹脂成形体でなるディスクトレイと、そのディスクトレイの幅方向一端部に具備されたガイド溝部に嵌合してそのディスクトレイを出退方向に案内するガイド突起を備えた構体とを有していると共に、上記外殻ハウジングに開設されて上記ディスクトレイが出退される開口窓に、幅方向の一端部だけに配備されたねじりばねによって閉方向に常時弾発付勢された樹脂成形体でなる開閉扉が取り付けられ、その開閉扉の裏面に、突出方向に移動してきたディスクトレイの上記当り部を摺動させて上記開閉扉を開動させながらそのディスクトレイの上記溝壁の頂面を摺動させて乗り上がらせる突起部が備わっているディスク装置において、上記突起部は、ディスクトレイの幅方向に延びる横長部とディスクトレイの出退方向に延びる縦長部とがＬ字形に連続する形に形成されていて、その縦長部に、突出方向に移動してきたディスクトレイの上記当り部を摺動させて上記開閉扉を開動させながらそのディスクトレイの上記溝壁の頂面を上記横長部に乗り上がらせる傾斜ガイド面が備わり、この突起部の横長部の肉厚及び縦長部の肉厚を上記ガイド溝部の溝幅よりも短い寸法に定めることによって、成形された上記開閉扉の表面に外観上で目立つひけが発生することを抑制してあると共に、上記横長部の長さが上記ガイド溝部の溝幅よりも長い寸法に定められており、上記開閉扉の裏面の上記突起部の配備箇所とは別の箇所にその突起部と同一形状の補助突起部が備わり、上記突起部の横長部が上記ディスクトレイの上記溝壁の頂面を乗り上がらせたときに、その補助突起部が、上記ディスクトレイの幅方向他端側部に具備された縦長の縁枠部の頂面を乗り上がらせるようになっている、という構成を採用することによっていっそう具体化される。
【発明の効果】
【００１８】
以上のように、本発明によれば、突起部の肉厚寸法を短くすることによって開閉扉の表面に外観上で目立つひけを生じさせないようにしても、その突起部がディスクトレイの溝壁から脱落してガイド溝部に嵌まり込んでしまうという事態が起こり得ないので、開閉扉にひけのない良好な外観を付与することができてその不良品の発生を抑制することが可能になり、併せて、ディスクトレイや開閉扉の円滑な動作が損なわれるという事態の起こり得ないディスク装置を提供することが可能になる。また、本発明によれば、従来のディスク装置の突起部の形状を変更するだけの対策を講じるだけで、突起部がディスクトレイの溝壁から脱落してガイド溝部に嵌まり込んでしまうという事態を回避することができるので、ディスクトレイや開閉扉の円滑な動作が損なわれることのないディスク装置を安価に提供することができるようになる。さらに、薄肉の突起部７３をＬ字形に形成することにより、その突起部を形成するのに必要な樹脂量が従来よりも少なくて済むという利点もある。
【発明を実施するための最良の形態】
【００１９】
図１は本発明に係るディスク装置の開閉扉７とディスクトレイ１との位置関係を示した説明図、図２は外郭ハウジングのフロントパネル８の開口窓への開閉扉７の取付構造を示した横断平面図、図３は（Ａ）〜（Ｅ）はディスクトレイ１と開閉扉７との連動状態を説明的に示した要部の断面図である。
【００２０】
図１に示した開閉扉７にあっては、突起部７３と補助突起部７６の形状が図６を参照して説明した突起部７３と補助突起部７６の形状と異なっているだけであり、その他の構成は図６の開閉扉７と同様である。すなわち、図１に示した突起部７３は、ディスクトレイ１の幅方向に延びる横長部７３ａとディスクトレイ１の出退方向に延びる縦長部７３ｂとがＬ字形に連続する形に形成されていて、その縦長部７３ｂに傾斜ガイド面７４が備わっている。そして、突起部７３の横長部７３ａの肉厚ｔ１及び縦長部７３ｂの肉厚ｔ２をディスクトレイ１側のガイド溝部５１の溝幅寸法Ｔ２よりも短い寸法に定めてあると共に、それらの箇所の肉厚ｔ１，ｔ２は、成形された開閉扉７の表面に外観上で目立つひけが発生しない寸法範囲内でできるだけ長く定めて突起部７３の強度を可及的大きくしてある。さらに、横長部７３ａの長さＬをガイド溝部５１の溝幅寸法Ｔ２よりも長い寸法に定めてある。なお、この実施形態では、横長部７３ａの長さＬを図６で説明した突起部７３の肉厚寸法Ｔ１と同一に定めてあり、この構成を採用することにより、突起部７３を形成するのに必要な樹脂量が従来よりも少なくて済むという利点が生じる。また、突起部７３の配備箇所とは別の箇所に形成されている補助突起部７６は、上記突起部７３と同一形状及び同一大きさに形成されている。その他の構成は図６で参照したものと同様であるので、同一又は相応する部分に同一符号を付して説明の重複を回避する。
【００２１】
図２では、外郭ハウジングを構成しているフロントパネル８の開口窓８５に取り付けられた樹脂成形体でなる開閉扉７を倒伏姿勢に開いた状態で示している。同図のように、この開閉扉７は、左右両端部に同心状に備わっている支軸部７１，７２がフロントパネル８の軸受孔部８１，８２に回転自在に支持されると共に、一方側の支軸部７１に保持されたねじりばね８３によって閉方向に常時弾発付勢されている。
【００２２】
このディスク装置において、ディスクトレイ１が構体３（図４参照）の中に引き込まれているときには、図３（Ａ）のように、開閉扉７がねじりばね８３（図２参照）により付勢されて閉じている。そして、その状態からディスクトレイ１が同図（Ｂ）（Ｃ）（Ｄ）の矢印Ａ１のように突出方向に移動してくると、突起部７３とディスクトレイ１との関係では、ディスクトレイ１の当り部１５が、閉状態の開閉扉７の突起部７３の傾斜ガイド面７４に当接した後、開閉扉７をねじりばねの付勢に抗して矢印Ｃ１のように開動させながらその傾斜ガイド面７４を摺動し、さらに同図（Ｅ）のようにディスクトレイ１のガイド溝部５１の溝壁５３の頂面（下面）５３ａが突起部７３に乗り上がる。また、図示していないけれども、補助突起部７６とディスクトレイ１との関係では、ディスクトレイ１が突出方向に移動してくると、そのディスクトレイ１の当り部１５が、閉状態の開閉扉７の補助突起部７６の傾斜ガイド面７７に当接した後、開閉扉７をねじりばね８３の付勢に抗して開動させながらその傾斜ガイド面７７を摺動し、さらにディスクトレイ１の縁枠部１３の頂面（下面）１３ａが補助突起部７６に乗り上がる（図１参照）。
【００２３】
以上説明した実施形態のディスク装置において、突起部７３には、ガイド溝５１の溝幅寸法よりも長さＬの長いい横長部７３ａが備わっているので、フロントパネル８に対するディスク駆動機構Ｂの取付位置や、フロントパネル８の開口窓８５に対する開閉扉７の取付位置が横方向でずれていたとしても、突起部７３がガイド溝部５１に嵌まり込むという事態の起こるおそれはない。したがって、この実施形態によれば、開閉扉７がその表面に外観上で目立つひけを持たず、しかも、ディスクトレイ１の円滑な出退動作や開閉扉７の円滑な開閉動作が損なわれたりすることが起こらない。
【００２４】
この実施形態において、突起部７３をディスクトレイ１の溝壁５３の対応させることに加えて、補助突起部７６をディスクトレイ１の縁枠部１３に対応させてあり、こうしておくことにより、開閉扉７がその片側の支軸部７１の取付箇所でのみねじりばね８３により付勢されてその開閉扉７に偏荷重が加わっているとしても、その開閉扉７が傾いて開閉動することが回避される。
【図面の簡単な説明】
【００２５】
【図１】本発明に係るディスク装置の開閉扉とディスクトレイとの位置関係を示した説明図である。
【図２】開口窓への開閉扉の取付構造を示した横断平面図である。
【図３】（Ａ）〜（Ｅ）はディスクトレイと開閉扉との連動状態を説明的に示した要部の断面図である。
【図４】ディスク駆動機構の概略平面図である。
【図５】図４のＶ−Ｖ線に沿う部分の概略断面図である。
【図６】従来のディスク装置での開閉扉とディスクトレイとの位置関係を示した説明図である。
【図７】（Ａ）（Ｂ）は従来のディスク装置でのディスクトレイと開閉扉との連動状態を説明的に示した要部の断面図である。
【符号の説明】
【００２６】
Ｂ  ディスク駆動機構
１  ディスクトレイ
７  開閉扉
８  フロントパネル（外郭ハウジング）
１３  縁枠部
１３ａ  縁枠部の頂面
１５  当り部
５１  ガイド溝部
５２  ガイド突起
５３  溝壁
５３ａ  溝壁の頂面
７３  突起部
７３ａ  横長部
７３ｂ  縦長部
７４  傾斜ガイド面
７６  補助突起部
８３  ネジリばね
８５  開口窓
Ｔ２  ガイド溝部の溝幅寸法
ｔ１  横長部の肉厚寸法
ｔ２  縦長部の肉厚寸法
Ｌ  横長部の長さ
【図１】
2006134409.tif 000003
【図２】
2006134409.tif 000004
【図３】
2006134409.tif 000005
【図４】
2006134409.tif 000006
【図５】
2006134409.tif 000007
【図６】
2006134409.tif 000008
【図７】
2006134409.tif 000009